【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
直流電圧を交流電圧に変換して複数対の放電管に供給するインバータと、
前記インバータの出力端子に接続される複数のバランストランスと、
前記バランストランスに流れる電流値に基づいて異常を検出する異常検出装置と、を具備し、
前記バランストランスは、
前記インバータの出力端子と前記複数対の放電管の各々との間にそれぞれ接続される複数対の１次巻線と、前記１次巻線に対応して配置される複数の２次巻線であって隣り合う当該２次巻線と直列に接続されて２次巻線直列接続体のループを形成し当該２次巻線直列接続体のループの一部がグランドに接続される複数の２次巻線と、を有し、
前記異常検出装置は、
前記１次巻線に対応して配置される複数対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている複数対の３次巻線と、
前記１対の３次巻線の前記直列接続体の他端に入力端子が接続されて当該直列接続体に発生する電圧を検出して電圧検出値を生成する複数のダイオードと、
前記ダイオードの出力端子に発生する前記電圧検出値と所定の閾値とを比較して異常であるか否かを判断して判断結果を生成する異常検出器と、
を具備することを特徴とするインバータ回路。
【請求項２】
直流電圧を交流電圧に変換して２対の放電管に供給するインバータと、
前記インバータの出力端子に接続される４つのバランストランスと、
前記バランストランスに流れる電流値に基づいて異常を検出する異常検出装置と、を具備し、
前記バランストランスは、
前記インバータの出力端子と前記２対の放電管の各々との間にそれぞれ接続される２対の１次巻線と、
４つの２次巻線であって隣り合う当該２次巻線と直列に接続されて２次巻線直列接続体のループを形成し当該２次巻線直列接続体のループの一部がグランドに接続される４つの２次巻線と、を有し、
前記異常検出装置は、
２対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている２対の３次巻線と、
前記１対の３次巻線の前記直列接続体の他端に入力端子が接続されて当該直列接続体に発生する電圧を検出して電圧検出値を生成する２つのダイオードと、
前記ダイオードの出力端子に発生する前記電圧検出値と所定の閾値とを比較して異常であるか否かを判断して判断結果を生成する異常検出器と、
を具備することを特徴とする請求項１記載のインバータ回路。
【請求項３】
直流電圧を交流電圧に変換して４対の放電管に供給するインバータと、
前記インバータの出力端子に接続される８つのバランストランスと、
前記バランストランスに流れる電流値に基づいて異常を検出する異常検出装置と、を具備し、
前記バランストランスは、
前記インバータの出力端子と前記４対の放電管の各々との間にそれぞれ接続される４対の１次巻線と、
８つの２次巻線であって隣り合う当該２次巻線と直列に接続されて２次巻線直列接続体のループを形成し当該２次巻線直列接続体のループの一部がグランドに接続される８つの２次巻線と、を有し、
前記異常検出装置は、      
４対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている４対の３次巻線と、
前記１対の３次巻線の前記直列接続体の他端に入力端子が接続されて当該直列接続体に発生する電圧を検出して電圧検出値を生成する４つのダイオードと、
前記ダイオードの出力端子に発生する前記電圧検出値と所定の閾値とを比較して異常であるか否かを判断して判断結果を生成する異常検出器と、
を具備することを特徴とする請求項１記載のインバータ回路。  
【請求項４】
直流電圧を交流電圧に変換して６対の放電管に供給するインバータと、
前記インバータの出力端子に接続される１２個のバランストランスと、
前記バランストランスに流れる電流値に基づいて異常を検出する異常検出装置と、を具備し、
前記バランストランスは、
前記インバータの出力端子と前記６対の放電管の各々との間にそれぞれ接続される６対の１次巻線と、
１２個の２次巻線であって隣り合う当該２次巻線と直列に接続されて２次巻線直列接続体のループを形成し当該２次巻線直列接続体のループの一部がグランドに接続される１２個の２次巻線と、を有し、
前記異常検出装置は、
６対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている６対の３次巻線と、
前記１対の３次巻線の前記直列接続体の他端に入力端子が接続されて当該直列接続体に発生する電圧を検出して電圧検出値を生成する６つのダイオードと、
前記ダイオードの出力端子に発生する前記電圧検出値と所定の閾値とを比較して異常であるか否かを判断して判断結果を生成する異常検出器と、
を具備することを特徴とする請求項１記載のインバータ回路。  
【請求項５】
直流電圧を交流電圧に変換して８対の放電管に供給するインバータと、
前記インバータの出力端子に接続される１６個のバランストランスと、
前記バランストランスに流れる電流値に基づいて異常を検出する異常検出装置と、を具備し、
前記バランストランスは、
前記インバータの出力端子と前記８対の放電管の各々との間にそれぞれ接続される８対の１次巻線と、
１６個の２次巻線であって隣り合う当該２次巻線と直列に接続されて２次巻線直列接続体のループを形成し当該２次巻線直列接続体のループの一部がグランドに接続される１６個の２次巻線と、を有し、
前記異常検出装置は、
８対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている８対の３次巻線と、
前記１対の３次巻線の前記直列接続体の他端に入力端子が接続されて当該直列接続体に発生する電圧を検出して電圧検出値を生成する８つのダイオードと、
前記ダイオードの出力端子に発生する前記電圧検出値と所定の閾値とを比較して異常であるか否かを判断して判断結果を生成する異常検出器と、
を具備することを特徴とする請求項１記載のインバータ回路。  
【請求項６】
複数対の放電管と、
直流電圧を交流電圧に変換して前記複数対の放電管に供給するインバータと、
前記インバータの出力端子に接続される複数のバランストランスと、
前記複数対の放電管のうち隣り合う１対の放電管を束ねて前記複数のバランストランスの１次巻線を介して前記インバータにそれぞれ接続させる複数のコネクタと、
前記バランストランスに流れる電流値に基づいて異常を検出する異常検出装置と、を具備し、
前記バランストランスは、
前記インバータの出力端子と前記複数対の放電管の各々との間にそれぞれ接続される複数対の１次巻線と、
前記１次巻線に対応して配置される複数の２次巻線であって隣り合う当該２次巻線と直列に接続されて２次巻線直列接続体のループを形成し当該２次巻線直列接続体のループの一部がグランドに接続された複数の２次巻線と、を有し、
前記異常検出装置は、
前記１次巻線に対応して配置される複数対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている複数対の３次巻線と、
前記１対の３次巻線の前記直列接続体の一端に入力端子が接続されて当該直列接続体に発生する電圧を検出して電圧検出値を生成する複数のダイオードと、
前記ダイオードの出力端子に発生する前記電圧検出値と所定の閾値とを比較して異常であるか否かを判断して判断結果を生成する異常検出器と、
を具備することを特徴とするバックライト装置。
【請求項７】
２対の放電管と、
直流電圧を交流電圧に変換して前記２対の放電管に供給するインバータと、
前記インバータの出力端子に接続される４つのバランストランスと、
前記２対の放電管のうち隣り合う１対の放電管を束ねて前記４つのバランストランスの１次巻線を介して前記インバータにそれぞれ接続させる２つのコネクタと、
前記バランストランスに流れる電流値に基づいて異常を検出する異常検出装置と、を具備し、
前記バランストランスは、
前記インバータの出力端子と前記２対の放電管の各々との間にそれぞれ接続される２対の１次巻線と、
４つの２次巻線であって隣り合う当該２次巻線と直列に接続されて２次巻線直列接続体のループを形成し当該２次巻線直列接続体のループの一部がグランドに接続される４つの２次巻線と、を有し、
前記異常検出装置は、
２対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている２対の３次巻線と、
前記１対の３次巻線の前記直列接続体の他端に入力端子が接続されて当該直列接続体に発生する電圧を検出して電圧検出値を生成する２つのダイオードと、
前記ダイオードの出力端子に発生する前記電圧検出値と所定の閾値とを比較して異常であるか否かを判断して判断結果を生成する異常検出器と、
を具備することを特徴とする請求項６記載のバックライト装置。  
【請求項８】
４対の放電管と、
直流電圧を交流電圧に変換して前記４対の放電管に供給するインバータと、
前記インバータの出力端子に接続される８つのバランストランスと、
前記４対の放電管のうち隣り合う１対の放電管を束ねて前記８つのバランストランスの１次巻線を介して前記インバータにそれぞれ接続させる４つのコネクタと、
前記バランストランスに流れる電流値に基づいて異常を検出する異常検出装置と、を具備し、
前記バランストランスは、
前記インバータの出力端子と前記４対の放電管の各々との間にそれぞれ接続される４対の１次巻線と、
８つの２次巻線であって隣り合う当該２次巻線と直列に接続されて２次巻線直列接続体のループを形成し当該２次巻線直列接続体のループの一部がグランドに接続される８つの２次巻線と、を有し、
前記異常検出装置は、      
４対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている４対の３次巻線と、
前記１対の３次巻線の前記直列接続体の一端に入力端子が接続されて当該直列接続体に発生する電圧を検出して電圧検出値を生成する４つのダイオードと、
前記ダイオードの出力端子に発生する前記電圧検出値と所定の閾値とを比較して異常であるか否かを判断して判断結果を生成する異常検出器と、
を具備することを特徴とする請求項６記載のバックライト装置。  
【請求項９】
６対の放電管と、
直流電圧を交流電圧に変換して前記６対の放電管に供給するインバータと、
前記インバータの出力端子に接続される１２個のバランストランスと、
前記６対の放電管のうち隣り合う１対の放電管を束ねて前記１２個のバランストランスの１次巻線を介して前記インバータにそれぞれ接続させる６つのコネクタと、
前記バランストランスに流れる電流値に基づいて異常を検出する異常検出装置と、を具備し、
前記バランストランスは、
前記インバータの出力端子と前記６対の放電管の各々との間にそれぞれ接続される６対の１次巻線と、
１２個の２次巻線であって隣り合う当該２次巻線と直列に接続されて２次巻線直列接続体のループを形成し当該２次巻線直列接続体のループの一部がグランドに接続される１２個の２次巻線と、を有し、
前記異常検出装置は、
６対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている６対の３次巻線と、
前記１対の３次巻線の前記直列接続体の他端に入力端子が接続されて当該直列接続体に発生する電圧を検出して電圧検出値を生成する６つのダイオードと、
前記ダイオードの出力端子に発生する前記電圧検出値と所定の閾値とを比較して異常であるか否かを判断して判断結果を生成する異常検出器と、
を具備することを特徴とする請求項６記載のバックライト装置。  
【請求項１０】
８対の放電管と、
直流電圧を交流電圧に変換して前記８対の放電管に供給するインバータと、
前記インバータの出力端子に接続される１６個のバランストランスと、
前記８対の放電管のうち隣り合う１対の放電管を束ねて前記１６個のバランストランスの１次巻線を介して前記インバータにそれぞれ接続させる８つのコネクタと、
前記バランストランスに流れる電流値に基づいて異常を検出する異常検出装置と、を具備し、
前記バランストランスは、
前記インバータの出力端子と前記８対の放電管の各々との間にそれぞれ接続される８対の１次巻線と、
１６個の２次巻線であって隣り合う当該２次巻線と直列に接続されて２次巻線直列接続体のループを形成し当該２次巻線直列接続体のループの一部がグランドに接続される１６個の２次巻線と、を有し、
前記異常検出装置は、
８対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている８対の３次巻線と、
前記１対の３次巻線の前記直列接続体の他端に入力端子が接続されて当該直列接続体に発生する電圧を検出して電圧検出値を生成する８つのダイオードと、
前記ダイオードの出力端子に発生する前記電圧検出値と所定の閾値とを比較して異常であるか否かを判断して判断結果を生成する異常検出器と、
を具備することを特徴とする請求項６記載のバックライト装置。